(57)【要約】  【課題】  電話帳データに登録された複数の相手先に対して同時に電子メールを送信する状況において入力操作の簡略化を図ることができる携帯無線端末を提供する。  【解決手段】  表示部８と、電子メールを送信する通信部２と、利用者の操作に応じた信号を出力する操作部９と、相手先の名前に対してメールアドレスが登録可能な電話帳データを記憶する記憶部３と、操作部９の出力に基づいてある一人の相手先の名前に対応するメールアドレスを電子メールの送信先として入力すると、自動的に前記電話帳データに登録されている相手先の名前を表示部８に表示させる制御部４と、を備える携帯無線端末。【選択図】      図１
2005117391.tif 000002
【特許請求の範囲】
【請求項１】
表示部と、
電子メールを送信する通信部と、
利用者の操作に応じた信号を出力する操作部と、
相手先の名前に対してメールアドレスが登録可能な電話帳データを記憶する記憶部と、
前記操作部の出力に基づいてある一人の相手先の名前に対応するメールアドレスを電子メールの送信先として入力すると、自動的に前記電話帳データに登録されている相手先の名前を前記表示部に表示させる制御部と、
を備えることを特徴とする携帯無線端末。
【請求項２】
前記制御部は、前記操作部の出力に基づいてある一人の相手先の名前に対応するメールアドレスを電子メールの送信先として入力したのち、前記操作部が所定の出力をすると、前記電話帳データに登録されている相手先の名前を前記表示部に表示させないとともに、電子メールの送信先入力を完了させる請求項１に記載の携帯無線端末。
【請求項３】
前記電話帳データが、相手先の名前に対して複数のメールアドレスが登録可能な電話帳データであって、
前記制御部は、前記操作部の出力に基づいてある一人の相手先の名前に対応するメールアドレスを電子メールの送信先として入力する手順として、前記操作部の出力に基づいてある一人の相手先の名前を選択し、その選択した相手先の名前に対して登録されているメールアドレスの全てを個々のメールアドレスを選択することなく自動的に電子メールの送信先として入力する請求項１又は請求項２に記載の携帯無線端末。
【請求項４】
前記制御部は、前記操作部の出力に基づいてある一人の相手先の名前に対応するメールアドレスを電子メールの送信先として入力する手順として、
前記操作部の出力に基づいてある一人の相手先の名前を選択し、その選択した相手先の名前に対して登録されているメールアドレスの全てを個々のメールアドレスを選択することなく自動的に電子メールの送信先として入力する第１のモードと、
前記操作部の出力に基づいてある一人の相手先の名前を選択し、その選択した相手先の名前に対して登録されているメールアドレスの中から前記操作部の出力に基づいて選択した任意のメールアドレスを電子メールの送信先として入力する第２のモードと、
のいずれかを実行する請求項３に記載の携帯無線端末。
【発明の詳細な説明】
【技術分野】
【０００１】
本発明は、携帯無線端末に関し、特に、電話帳データに登録されたメールアドレスを用いて電子メールの送信を行う機能を備えた携帯無線端末に関する。
【背景技術】
【０００２】
従来の携帯無線端末として、ここでは携帯電話機を例に挙げて説明する。近年、携帯電話機においては、本来の電話機能に加え、電子メールの送受信機能を備えたものが一般的になっている。
【０００３】
通常、携帯電話機は電話帳機能を備えており、最近の携帯電話機においては、登録された相手先の名前に対して、複数個の電話番号やメールアドレスを登録することが可能な電話帳機能を備えたものが一般的になっている。
【０００４】
電話をかける場合は、通常考えられる通話相手先はただ一つであるが、電子メールの送信の場合は、同じ内容のメッセージ（例えば懇親会の連絡等）を複数人に宛て送信する場合が考えられる。
【０００５】
また、電子メールの送信相手先はただ一つであっても、その相手先に複数のメールアドレスが登録されている場合がある。例えば、携帯電話機用メールアドレス、個人用パソコン用メールアドレス、会社用のメールアドレス等複数のメールアドレスが登録されている状況は十分に考えられる。これらの複数のメールアドレスを送信先として同一内容の電子メールを送信することにより、電子メールを送信する相手がどこにいても、また電子メールを送信する相手の手元に携帯電話機が有るか否かにかかわらず、あるいはその携帯電話機の電源が入っているか否かにかかわらず、いち早く確実に情報を伝達することが可能となり、電子メール利用における情報伝達の利便性を高めることが出来る。
【０００６】
しかしながら、電子メールの送信において複数のメールアドレスを送信先として入力する場合、電話帳機能を起動し、画面に表示された電話帳の内容から電子メールを送信したい相手先の名前を選択し、更にその相手先に複数のメールアドレスが登録されている場合は、複数のメールアドレスから送信したい任意のメールアドレスを選択する、という一連の手順を送信するメールアドレスの数だけ繰り返す必要があり、送信先として入力するメールアドレスの数が多くなると非常に煩雑な操作となる。
【０００７】
そのため、複数のメールアドレスに電子メールを送信する際の相手先メールアドレスの入力操作を簡略にすることができる携帯端末が提案されている（例えば、特許文献１を参照）。特許文献１に開示されている携帯端末は、相手先の名前に対して複数のメールアドレスを登録することができる電話帳機能を備え、利用者のモード指定により、相手先の名前が選択されると、その選択された相手先の名前に対応する全てのメールアドレスを電子メールの送信先として自動的に入力することができるモードにすることができる。
【特許文献１】特開２００３−１６７８２１号公報
【発明の開示】
【発明が解決しようとする課題】
【０００８】
しかしながら、特許文献１に開示されている携帯端末においては、複数のメールアドレスが登録されているある一人の相手先が選択され、その選択された相手先の名前に対応する複数のメールアドレスに電子メールを同時に送信するという場合のみしか考慮されておらず、電話帳に登録された複数の相手先に対して同時にメールを送信するという状況では、一人の相手先に対応するメールアドレスの入力が終了する度に電話帳機能を起動して電話帳の内容を画面に表示させる必要があるため、複数の相手先の数だけ電話帳機能を起動させる操作を繰り返すことになり、操作が煩雑であった。
【０００９】
本発明は、上記の問題点に鑑み、電話帳データに登録された複数の相手先に対して同時に電子メールを送信する状況において入力操作の簡略化を図ることができる携帯無線端末を提供することを目的とする。
【課題を解決するための手段】
【００１０】
上記目的を達成するために本発明に係る携帯無線端末おいては、表示部と、電子メールを送信する通信部と、利用者の操作に応じた信号を出力する操作部と、相手先の名前に対してメールアドレスが登録可能な電話帳データを記憶する記憶部と、前記操作部の出力に基づいてある一人の相手先の名前に対応するメールアドレスを電子メールの送信先として入力すると、自動的に前記電話帳データに登録されている相手先の名前を前記表示部に表示させる制御部と、を備える構成とする。
【００１１】
このような構成によると、ある一人の相手先の名前に対応するメールアドレスを電子メールの送信先として入力されると、自動的に前記電話帳データに登録されている相手先の名前が表示部に表示されるので、一人の相手先に対応するメールアドレスの入力が終了する度に電話帳機能を起動して電話帳の内容を画面に表示させる必要がなくなる。これにより、電話帳データに登録された複数の相手先に対して同時に電子メールを送信する状況において入力操作の簡略化を図ることができる。
【００１２】
また、前記制御部は、前記操作部の出力に基づいてある一人の相手先の名前に対応するメールアドレスを電子メールの送信先として入力したのち、前記操作部が所定の出力をすると、前記電話帳データに登録されている相手先の名前を前記表示部に表示させないとともに、電子メールの送信先入力を完了させるようにしてもよい。
【００１３】
このような構成によると、送信希望メールアドレスを全て入力した段階で、その後電話帳データに登録されている相手先の名前を表示部に表示させることなく、電子メールの送信先入力を完了させることができる。
【００１４】
また、前記電話帳データが、相手先の名前に対して複数のメールアドレスが登録可能な電話帳データであって、前記制御部は、前記操作部の出力に基づいてある一人の相手先の名前に対応するメールアドレスを電子メールの送信先として入力する手順として、前記操作部の出力に基づいてある一人の相手先の名前を選択し、その選択した相手先の名前に対して登録されているメールアドレスの全てを個々のメールアドレスを選択することなく自動的に電子メールの送信先として入力するようにしてもよい。
【００１５】
このような構成によると、電話帳データに登録された複数の相手先に対して同時に電子メールを送信する状況において入力操作の簡略化を図ることができるとともに、複数のメールアドレスが登録されている一つの相手先に対して、登録されている全てのメールアドレスに電子メールを同時に送信するという場合において入力操作の簡略化を図ることができる。
【００１６】
また、前記制御部は、前記操作部の出力に基づいてある一人の相手先の名前に対応するメールアドレスを電子メールの送信先として入力する手順として、前記操作部の出力に基づいてある一人の相手先の名前を選択し、その選択した相手先の名前に対して登録されているメールアドレスの全てを個々のメールアドレスを選択することなく自動的に電子メールの送信先として入力する第１のモードと、前記操作部の出力に基づいてある一人の相手先の名前を選択し、その選択した相手先の名前に対して登録されているメールアドレスの中から前記操作部の出力に基づいて選択した任意のメールアドレスを電子メールの送信先として入力する第２のモードと、のいずれかを実行するようにしてもよい。
【００１７】
このような構成によると、複数のメールアドレスが登録されている一つの相手先に対して、登録されている全てのメールアドレスに電子メールを同時に送信するだけでなく、複数のメールアドレスが登録されている一つの相手先に対して、任意のメールアドレスに電子メールを同時に送信することもできる。
【発明の効果】
【００１８】
本発明によれば、電話帳データに登録された複数の相手先に対して同時に電子メールを送信する状況において入力操作の簡略化を図ることができる。
【発明を実施するための最良の形態】
【００１９】
本発明の一実施形態について図面を参照して説明する。本発明に係る携帯無線端末として、ここでは携帯電話機を例に挙げて説明する。
【００２０】
本発明に係る携帯電話機のブロック図を図１に示す。本発明に係る携帯電話機は、アンテナ１と、通信部２と、記憶部３と、制御部４と、音声処理部５と、受話器として機能するスピーカ６と、送話器として機能するマイク７と、表示部８と、複数のキーを有する操作部９とによって構成されている。
【００２１】
受信回路、送信回路、変調回路、及び復調回路を具備し、制御部４による制御に従って音声や電子メール等の送受信動作を行う通信部２が、アンテナ１に接続されている。
【００２２】
また、記憶部３、音声処理部５、表示部８、操作部９が制御部４に接続されている。ＣＰＵから成る制御部４は、記憶部３に予め記憶されている制御プログラムに従って携帯電話機の全体の制御を行う。記憶部３は、上記制御プログラムに加えて、図２に示すような内容の電話帳データやその他のデータを記憶している。記憶部３には、書き換え可能な不揮発性メモリ、例えばフラッシュメモリを用いるとよい。
【００２３】
通話中において音声処理部５は、マイク７からのアナログ音声信号をデジタル音声データに変換するとともに、通信部２で復調されたデジタル音声データをアナログ音声信号に変換し当該アナログ音声信号を増幅した信号に基づいてスピーカ６を駆動する。
【００２４】
続いて、電話帳機能を用いて電子メールの送信先メールアドレスを入力する場合における制御部４の動作について図３のフローチャートを参照して説明する。利用者が操作部９に対して所定のキー操作を行うことによって、制御部４は、表示部８に図４に示すメール送信の画面表示をさせる。その後、利用者が操作部９に対して別の所定のキー操作を行うと、制御部４は、記憶部３に格納されている電話帳データを読み出し、電話帳データに登録されている相手先の名前一覧を表示部８に表示させる（ステップＳ１０）。
【００２５】
続くステップＳ２０において、制御部４は、電子メールを送信する相手先の名前が利用者のキー操作により選択されたか否かを判定する。電子メールを送信する相手先の名前が選択されれば（ステップＳ２０のＹｅｓ）、制御部４は、記憶部３から読み出した電話帳データを参照してその選択された相手先の名前に対応するメールアドレスがただ一つであるか否かを判定する（ステップＳ３０）。
【００２６】
選択された相手先の名前に対応するメールアドレスがただ一つであれば（ステップＳ３０のＹｅｓ）、制御部４は、その選択された相手先の名前に対応するメールアドレスを宛先として入力し（ステップＳ４０）、後述するステップＳ８０に移行する。
【００２７】
選択された相手先の名前に対応するメールアドレスが複数であれば（ステップＳ３０のＮｏ）、制御部４は、その選択された相手先の名前に対応するメールアドレス一覧を表示部８に表示させ（ステップＳ５０）、ステップＳ６０に移行する。
【００２８】
ステップＳ６０において、制御部４は、表示部８によって表示されているメールアドレス一覧の中から送信希望メールアドレスが利用者のキー操作により選択されたか否かを判定する。送信希望メールアドレスが選択されれば（ステップＳ６０のＹｅｓ）、制御部４は、その選択された送信希望メールアドレスを宛先として入力し（ステップＳ７０）、ステップＳ８０に移行する。
【００２９】
ステップＳ８０において、制御部４は、宛先入力を完了する機能が割り当てられている操作部９の所定のキー（以下、宛先入力完了キーという）がステップＳ８０に移行してから所定期間内に押下されたか否かを判定する。ステップＳ８０に移行してから所定期間内に宛先入力完了キーが押下されれば（ステップＳ８０のＹｅｓ）、電子メールの送信先メールアドレスを入力する動作が終了する。一方、ステップＳ８０に移行してから所定期間内に宛先入力完了キーが押下されなければ（ステップＳ８０のＮｏ）、制御部４は再び電話帳データに登録されている相手先の名前一覧を表示部８に表示させる（ステップＳ１０）。
【００３０】
次に上記動作の具体例として、記憶部３が図２に示す内容の電話帳データを記憶していて、『山田太郎』氏に対応して電話帳データに登録されている全てのメールアドレス（『taro01@xyz.ne.jp』及び『yamada@xyz.ne.jp』）と、『山本花子』氏に対応して電話帳データに登楼されているメールアドレスの中の一つ（『hana777@xyz.ne.jp』）と、『斎藤二郎』氏に対応して電話帳データに登録されている全てのメールアドレス（『jiro@xyz.ne.jp』）とを電子メール送信の宛先として入力する場合について説明する。
【００３１】
利用者が操作部９に対して所定のキー操作を行うことによって、制御部４は、表示部８に図４に示すメール送信の画面表示をさせる。その後、利用者が操作部９に対して別の所定のキー操作を行うと、制御部４は、記憶部３に格納されている電話帳データを読み出し、電話帳データに登録されている相手先の名前一覧を表示部８に表示させる（ステップＳ１０）。したがって、このときの表示部８の画面表示は図５に示すようになる。なお、名前の欄の反転表示は利用者のキー操作によってスクロールすることができる。
【００３２】
続くステップＳ２０において、制御部４は、電子メールを送信する相手先の名前が利用者のキー操作により選択されたか否かを判定する。ここで、図５に示すように『山田太郎』氏の欄が反転表示されているときに、確定機能が割り当てられたキー（以下、確定キーという）が利用者によって押下されると、制御部４は電子メールを送信する相手先の名前として『山田太郎』氏を選択する。
【００３３】
電子メールを送信する相手先の名前が選択されれば（ステップＳ２０のＹｅｓ）、制御部４は、記憶部３から読み出した電話帳データを参照してその選択された相手先の名前に対応するメールアドレスがただ一つであるか否かを判定する（ステップＳ３０）。ここで、『山田太郎』氏に対応して登録されているメールアドレスは２つであり、選択された相手先の名前に対応するメールアドレスが複数であるため（ステップＳ３０のＮｏ）、制御部４は、その選択された相手先の名前に対応するメールアドレス一覧を表示部８の画面下部に表示させる（ステップＳ５０）。したがって、このときの表示部８の画面表示は図６に示すようになる。
【００３４】
そして、制御部４は、表示部８によって表示されているメールアドレス一覧の中から送信希望メールアドレスが利用者のキー操作により選択されたか否かを判定する（ステップＳ６０）。ここで、図６に示すように『全てのアドレス』の欄にメールアドレス選択用カーソルが位置しているときに、確定キーが利用者によって押下されると、制御部４は送信希望メールアドレスとして『taro01@xyz.ne.jp』及び『yamada@xyz.ne.jp』を選択する。なお、メールアドレス選択用カーソルは利用者のキー操作によってスクロールすることができる。また、相手先の名前に対応するメールアドレスが３つ以上あり、その中の２つ以上のメールアドレス（全てのメールアドレスは除く）を送信希望メールアドレスとして選択することができるように、例えば利用者のキー操作によってメールアドレス選択用カーソルを複数表示できるようにしておくとよい。
【００３５】
送信希望メールアドレスが選択されれば（ステップＳ６０のＹｅｓ）、制御部４は、その選択された送信希望メールアドレスを宛先として入力し（ステップＳ７０）、制御部４は、ステップＳ８０に移行してから所定期間内に宛先入力完了キーが押下されたか否かを判定する（ステップＳ８０）。ここではステップＳ８０に移行してから所定期間内に宛先入力完了キーが押下されないものとする。
【００３６】
ステップＳ８０に移行してから所定期間内に宛先入力完了キーが押下されなければ（ステップＳ８０のＮｏ）、制御部４は再び電話帳データに登録されている相手先の名前一覧を表示部８に表示させる（ステップＳ１０）。このとき、前回選択された相手先の名前の次の欄が反転表示されることが望ましい。これにより、反転表示をスクロールするためのキー操作を少なくすることができる。ここで、図７に示すように『山本花子』氏の欄が反転表示されているときに、確定キーが利用者によって押下されると、制御部４は電子メールを送信する相手先の名前として『山本花子』氏を選択する。
【００３７】
電子メールを送信する相手先の名前が選択されれば（ステップＳ２０のＹｅｓ）、制御部４は、記憶部３から読み出した電話帳データを参照してその選択された相手先の名前に対応するメールアドレスがただ一つであるか否かを判定する（ステップＳ３０）。ここで、『山本花子』氏に対応して登録されているメールアドレスは２つであり、選択された相手先の名前に対応するメールアドレスが複数であるため（ステップＳ３０のＮｏ）、制御部４は、その選択された相手先の名前に対応するメールアドレス一覧を表示部８の画面下部に表示させる（ステップＳ５０）。したがって、このときの表示部８の画面表示は図８に示すようになる。
【００３８】
そして、制御部４は、表示部８によって表示されているメールアドレス一覧の中から送信希望メールアドレスが利用者のキー操作により選択されたか否かを判定する（ステップＳ６０）。ここで、図８に示すように『hana777@xyz.ne.jp』の欄にメールアドレス選択用カーソルが位置しているときに、確定キーが利用者によって押下されると、制御部４は送信希望メールアドレスとして『hana777@xyz.ne.jp』を選択する。
【００３９】
送信希望メールアドレスが選択されれば（ステップＳ６０のＹｅｓ）、制御部４は、その選択された送信希望メールアドレスを宛先として入力し（ステップＳ７０）、制御部４は、ステップＳ８０に移行してから所定期間内に宛先入力完了キーが押下されたか否かを判定する（ステップＳ８０）。ここではステップＳ８０に移行してから所定期間内に宛先入力完了キーが押下されないものとする。
【００４０】
ステップＳ８０に移行してから所定期間内に宛先入力完了キーが押下されなければ（ステップＳ８０のＮｏ）、制御部４は再び電話帳データに登録されている相手先の名前一覧を表示部８に表示させる（ステップＳ１０）。ここで、図９に示すように『斎藤二郎』氏の欄が反転表示されているときに、確定キーが利用者によって押下されると、制御部４は電子メールを送信する相手先の名前として『斎藤二郎』氏を選択する。
【００４１】
電子メールを送信する相手先の名前が選択されれば（ステップＳ２０のＹｅｓ）、制御部４は、記憶部３から読み出した電話帳データを参照してその選択された相手先の名前に対応するメールアドレスがただ一つであるか否かを判定する（ステップＳ３０）。ここで、『斎藤二郎』氏に対応して登録されているメールアドレスはただ一つ（『jiro@xyz.co.jp』）であるため（ステップＳ３０のＹｅｓ）、制御部４は、『jiro@xyz.co.jp』を表示部８の画面下部に表示させることなく、ただちに宛先として入力し（ステップＳ４０）、ステップＳ８０に移行する。制御部４は、ステップＳ８０に移行してから所定期間内に宛先入力完了キーが押下されたか否かを判定する（ステップＳ８０）。ここではステップＳ８０に移行してから所定期間内に宛先入力完了キーが押下されるものとする。
【００４２】
ステップＳ８０に移行してから所定期間内に宛先入力完了キーが押下されれば（ステップＳ８０のＹｅｓ）、制御部４は表示部８に入力した宛先を全て表示させ、宛先入力動作を終了する。したがって、宛先入力動作終了時の表示部８の画面表示は図１０に示すようになる。
【００４３】
本発明に係る携帯電話機は、電話帳機能を用いて電子メールの送信先メールアドレスを入力する場合に上記動作のように、ある一人の相手先の名前に対応するメールアドレスを電子メールの送信先として入力すると、宛先入力完了キーが押下されない限り自動的に電話帳データに登録されている相手先の名前が表示部８に一覧表示されるので、電話帳データに登録された複数の相手先に対して同時に電子メールを送信する状況において入力操作の簡略化を図ることができる。
【００４４】
なお、本実施形態では、選択された相手先の名前に対応するメールアドレスが複数であった場合、全てのメールアドレスを宛先にするか任意のメールアドレスを宛先にするかを選択できる構成であったが、図３のステップＳ５０〜ステップＳ７０に代えてメールアドレスを表示部８に表示させることなく選択された相手先の名前に対応する全てのメールアドレスを宛先として入力するステップを設けて、選択された相手先の名前に対応するメールアドレスが複数であった場合、常に全てのメールアドレスを宛先にする構成にしてもよい。
【００４５】
また、本実施形態では携帯電話機を例に挙げて説明したが、本発明はこれに限定されることはなく、他の携帯無線端末例えばＰＨＳ（Personal Handyphone System）やＰＤＡ（Personal Digital Assistant）等にも適用することができる。
【図面の簡単な説明】
【００４６】
【図１】は、本発明に係る携帯電話機のブロック図である。
【図２】は、本発明に係る携帯電話機が有する記憶部が記憶している電話帳データの一例を示す図である。
【図３】は、本発明に係る携帯電話機が有する制御部の電子メール送信先メールアドレス入力時の動作フローチャートである。
【図４】は、本発明に係る携帯電話機が有する表示部の表示画面を示す図である。
【図５】は、本発明に係る携帯電話機が有する表示部の表示画面を示す図である。
【図６】は、本発明に係る携帯電話機が有する表示部の表示画面を示す図である。
【図７】は、本発明に係る携帯電話機が有する表示部の表示画面を示す図である。
【図８】は、本発明に係る携帯電話機が有する表示部の表示画面を示す図である。
【図９】は、本発明に係る携帯電話機が有する表示部の表示画面を示す図である。
【図１０】は、本発明に係る携帯電話機が有する表示部の表示画面を示す図である。
【符号の説明】
【００４７】
１  アンテナ
２  通信部
３  記憶部
４  制御部
５  音声処理部
６  スピーカ
７  マイク
８  表示部
９  操作部
【図１】
2005117391.tif 000003
【図２】
2005117391.tif 000004
【図３】
2005117391.tif 000005
【図４】
2005117391.tif 000006
【図５】
2005117391.tif 000007
【図６】
2005117391.tif 000008
【図７】
2005117391.tif 000009
【図８】
2005117391.tif 000010
【図９】
2005117391.tif 000011
【図１０】
2005117391.tif 000012